(57)【要約】【目的】この発明は、４ラインＣＣＤセンサを利用してカラー画像あるいはモノクロ画像を読み取る際、同一の光源からの光の光量をカラーあるいはモノクロ動作モードに応じて、選択的に抑制できる。【解決手段】この発明の読取装置は、３ラインのカラーセンサ１２Ｃとモノクロセンサ１２Ｍを含む４ラインＣＣＤセンサ１２と、各センサに共通して利用できる光源を有し、この光源からの光が原稿Ｐで反射されモノクロセンサ１２Ｍに入力される場合、光量抑制フィルタ２１で所定の光量に抑制されることにより、それぞれのセンサに適した露光量の画像光を案内する。【選択図】    図２
2005027091.tif 000002
【特許請求の範囲】
【請求項１】
読取対象のカラー画像をカラー画像データに変換するカラー画像用センサと、
読取対象のモノクロ画像をモノクロ画像データに変換するモノクロ画像用センサと、
上記読取対象を照射する照明装置と、
前記照明装置により照射された上記読取対象からの反射光がモノクロ画像用センサに入力される量を前記カラー画像用センサに入力される量に比較して所定の割合に変化させる光量制御機構を有することを特徴とする画像読取装置。
【請求項２】
上記カラー画像用センサは、所定の波長に応じた所定の透過率を有するカラーフィルタを備え、
上記光量制御機構は、上記カラーフィルタの上記所定の透過率と概ね等しい所定の透過率を有し、上記カラーフィルタを透過して上記カラー画像用センサに入力される光の光量と同程度に制御する光量制御フィルタを有することを特徴とする請求項１に記載の画像読取装置。
【請求項３】
上記光量制御フィルタは、上記モノクロ画像用センサを用いてモノクロ画像を読み取る場合に、上記読取対象からの反射光が前記モノクロ画像用センサに案内される光路上に位置されることを特徴とする請求項２に記載の画像読取装置。
【請求項４】
上記光量制御機構は、電磁式回転アクチュエータを含むことを特徴とする請求項１に記載の画像読取装置。
【請求項５】
読取対象のモノクロ画像をモノクロ画像データに変換するモノクロ画像用センサと、
所定の波長に応じた所定の透過率を有するカラーフィルタを備え、読取対象のカラー画像をカラー画像データに変換するカラー画像用センサと、
上記読取対象を照射する照明装置と、
上記カラーフィルタの上記所定の透過率と概ね等しい所定の透過率を有する光量制御フィルタと
上記読取対象からの反射光をモノクロ画像用センサを用いてモノクロ画像データに変換するモノクロモードが選択された場合、モノクロモードを指示し、上記読取対象からの反射光をカラー画像用センサを用いてカラー画像データに変換するカラーモードが選択された場合、カラーモードを指示する主制御部と、
上記主制御部によりモノクロモードが指示された場合、上記光量制御フィルタを、前記モノクロ画像用センサに案内される上記読取対象からの反射光が透過可能なモノクロモードに位置させることを特徴とする画像読取装置。
【請求項６】
上記光量制御機構は、電磁式回転アクチュエータを含み、
上記電磁式回転アクチュエータは、上記光量制御フィルタをモノクロモードの位置とは異なり上記反射光が透過することのない位置に位置させるねじりバネを含み、
上記主制御部によりモノクロモードが選択された場合に、上記光量制御フィルタを上記モノクロモードの位置に移動させるコイルを含むことを特徴とした請求項５に記載の画像読取装置。
【請求項７】
カラー画像を読み取るカラーモード、あるいはモノクロ画像を読み取るモノクロモードのいずれか一方の動作モードを指定し、
モノクロモードが指定された場合、光量制御フィルタを、モノクロ画像用センサに案内される上記読取対象からの反射光が透過可能な第１の位置に位置させ、
カラーモードが指定された場合、光量制御フィルタを、モノクロ画像用センサに案内される上記読取対象からの反射光が透過することのない第２の位置に位置させる
ことを特徴とした画像読取方法。
【請求項８】
上記光量制御フィルタを上記第１の位置に位置させるため、電磁式回転アクチュエータに搭載されるコイルに所定の電力を供給する駆動回路をＯＮし、
上記光量制御フィルタを上記第２の位置に位置させるため、電磁式回転アクチュエータに搭載されるコイルに所定の電力を供給する駆動回路をＯＦＦすることを特徴とした請求項７に記載の画像読取方法。
【発明の詳細な説明】
【０００１】
【発明の属する技術分野】
この発明は、例えば読取対象物から画像データを得る画像読取装置に関する。
【０００２】
【従来の技術】
画像読取装置は、シート状の原稿や本あるいは立体物等の読取対象物を照明して得られる反射光を画像読取センサ（ＣＣＤセンサ）により光電変換して、画像データを得る。
【０００３】
画像読取装置は、読取対象物を保持する原稿保持部（原稿テーブル）と、照明ランプを含み、原稿テーブルに載置された読取対象物を照明する照明ユニットと、画像読取センサであるラインＣＣＤセンサと、原稿テーブルとＣＣＤセンサとの間に設けられ、読取対象物からの反射光をＣＣＤセンサに結像させる光学セット（複数のミラーと結像レンズ）等からなる。
【０００４】
今日、モノクロ画像を高速で読み取る一方で、カラー画像については正確な色再現を可能とするために、カラー画像読取用のＲ（赤）、Ｇ（緑）、Ｂ（青）を３ラインＣＣＤセンサに、さらにモノクロ画像を読み取るためのモノクロ用のＫ（黒）のラインＣＣＤセンサを加えた４ラインＣＣＤセンサを用いる例が増えている。なお、３ラインＣＣＤセンサを用いたＭＦＰ用カラースキャナでは、Ｒ（赤）、Ｇ（緑）、Ｂ（青）の各色のカラーセンサに対し、最適な感度を得るために光源の分光特性に合わせた光源波長制限フィルタを光路上に配置するか、結像レンズまたは、各色センサ自身に直接光源波長を制限するコーティングを施していた。
【０００５】
画像読取装置として、例えば、プレスキャン時に読み取った原稿がカラーまたはモノクロ画像であるかを判断し、モノクロ画像の場合には光の色分解を行う（カラーフィルタを備えた）回転式フィルタを所定の位置に固定するものが知られている（特許文献１）。
【０００６】
また、プレスキャン時に読み取った原稿がカラーまたはモノクロ画像であるかを判断し、カラー画像の場合には赤外光カットフィルタを光路上に挿入し、モノクロ画像の場合には光源からの露光用の光の光量を低下させるとともに、光路から赤外光カットフィルタを脱却させる露光制御装置が知られている（特許文献２）。
【０００７】
さらにまた、カラーモードとモノクロモードを有するカラーデジタル複写機において、黒信号Ｋのみが入力するモノクロモード時には、２つの空間フィルタで処理することにより、画像劣化の少ないフィルタ出力が得られることが知られている（特許文献３）。
【０００８】
【特許文献１】
特開平８−２５１３５５号公報（要約、請求項１、請求項１３、図１６、図１７、段落［０１０１］，［０１１３］，［０１１４］等）
【０００９】
【特許文献２】
特開平７−２１９０７６号公報（要約、図１（ａ），（ｂ）、段落［００１０］，［００１１］等）
【００１０】
【特許文献３】
特開平９−８３８２３号公報（要約、請求項１、図１、段落［０００８］）
【００１１】
【発明が解決しようとする課題】
モノクロ用センサとカラーフィルタを有するカラー画像用センサは、受光感度が違うため、カラー画像用センサに要求される光量と同一の光がモノクロ用センサに提供されると、モノクロ用センサは感度が飽和した状態となり、読み取った画質が劣化する問題がある。
【００１２】
この発明の目的は、４ラインＣＣＤセンサを利用してカラー画像あるいはモノクロ画像を読み取る際、同一の光源からの光の光量をカラーあるいはモノクロ動作モードに応じて、選択的に抑制できる画像読取装置を提供することである。
【００１３】
【課題を解決するための手段】
この発明は、  読取対象のカラー画像をカラー画像データに変換するカラー画像用センサと、読取対象のモノクロ画像をモノクロ画像データに変換するモノクロ画像用センサと、上記読取対象を照射する照明装置と、前記照明装置により照射された上記読取対象からの反射光がモノクロ画像用センサに入力される量を前記カラー画像用センサに入力される量に比較して所定の割合に変化させる光量制御機構を有することを特徴とする画像読取装置を提供するものである。
【００１４】
また、この発明は、読取対象のモノクロ画像をモノクロ画像データに変換するモノクロ画像用センサと、所定の波長に応じた所定の透過率を有するカラーフィルタを備え、読取対象のカラー画像をカラー画像データに変換するカラー画像用センサと、上記読取対象を照射する照明装置と、上記カラーフィルタの上記所定の透過率と概ね等しい所定の透過率を有する光量制御フィルタと、上記読取対象からの反射光をモノクロ画像用センサを用いてモノクロ画像データに変換するモノクロモードが選択された場合、モノクロモードを指示し、上記読取対象からの反射光をカラー画像用センサを用いてカラー画像データに変換するカラーモードが選択された場合、カラーモードを指示する主制御部と、上記主制御部によりモノクロモードが指示された場合、上記光量制御フィルタを、前記モノクロ画像用センサに案内される上記読取対象からの反射光が透過可能なモノクロモードに位置させることを特徴とする画像読取装置を提供するものである。
【００１５】
さらに、この発明は、カラー画像を読み取るカラーモード、あるいはモノクロ画像を読み取るモノクロモードのいずれか一方の動作モードを指定し、モノクロモードが指定された場合、光量制御フィルタを、モノクロ画像用センサに案内される上記読取対象からの反射光が透過可能な第１の位置に位置させ、カラーモードが指定された場合、光量制御フィルタを、モノクロ画像用センサに案内される上記読取対象からの反射光が透過することのない第２の位置に位置させることを特徴とする画像読取方法を提供するものである。
【００１６】
【発明の実施の形態】
以下、この発明の実施の形態について図面を用いて詳細に説明する。
【００１７】
図１は、本発明に適用可能な画像読取装置の概略図である。
【００１８】
図１に示されるように、本発明の画像読取装置は、ガラス等に代表される光を透過する材質により形成され、厚さが概ね均一な透明な板状平面体である原稿テーブル１１を有している。原稿テーブル１１は、本等の立体物あるいはシート状の原稿である読取対象物を保持し、以下、読取対象物がシート状であることを想定して、読取対象物を原稿Ｐと呼称する。
【００１９】
原稿テーブル１１の下方で画像読取装置内の所定の位置には、原稿Ｐの画像情報を電気信号に変換する光電変換素子（ＣＣＤセンサ）１２が設けられている。ＣＣＤセンサ１２には、原稿テーブル１１の読み取り位置にセットされた原稿Ｐの画像情報が、以下に説明する複数のミラーを介して伝達される。
【００２０】
原稿テーブル１１の下方で原稿テーブル１１に沿った空間には、原稿テーブル１１に向けて光を放射する照明ランプ１３と、照明ランプ１３が放射する光を原稿テーブル１１の所定の位置に集光するリフレクタ１４が設けられている。照明ランプ１３とリフレクタ１４は、レール１５上を移動されることで原稿テーブル１１の面に沿って往復動可能な第１キャリッジ１６に固定されている。
【００２１】
第１キャリッジ１６には、照明ランプ１３およびリフレクタ１４からの照明光により照明された原稿Ｐからの反射光、すなわち原稿Ｐの画像情報を所定の方向に案内する画像取出ミラー１６ａが設けられている。なお、以下説明のため、原稿Ｐからの反射光は、画像光と呼称する。
【００２２】
第１キャリッジ１６の近傍であって、画像取出ミラー１６ａにより捕獲された原稿Ｐからの画像光が反射される方向には、第１キャリッジ１６に追従して移動される第２キャリッジ１７が設けられている。
【００２３】
第２キャリッジ１７には、画像取出ミラー１６ａからの画像光を、９０°ずつ折り曲げる第１画像ミラー１７ａおよび第２画像ミラー１７ｂが設けられている。
【００２４】
第２画像ミラー１７ｂで反射された画像光は、レンズ１８に案内され、レンズ１８により所定の結像倍率が与えられるとともに、レンズ１８の焦点位置に配置されているＣＣＤセンサ１２に結像される。
【００２５】
原稿テーブル１１の一端部には、原稿テーブル１１に原稿Ｏをセットする際の基準位置を示すサイズ板１１ａが設けられている。
【００２６】
サイズ板１１ａの背面すなわち第１キャリッジ１６および第２キャリッジ１７側の面には、ＣＣＤセンサ１２が原稿Ｏの画像を光電変換する際の白レベルの基準値を入力するための白板１９が設けられている。なお、白板１９は、必ずしもサイズ板１１ａの背面に設けられる必要はなく、第１キャリッジ１６および第２キャリッジ１７が待避している画像読取装置の筐体の周縁部すなわち原稿テーブル１１の先端部（読取対象物Ｏの先端部）よりも外側の領域の所定の位置に配置されてもよい。
【００２７】
第２画像ミラー１７ｂとレンズ１８の間には、後に詳細に説明する光量抑制フィルタを保持する光量抑制機構２０が設けられている。
【００２８】
次に、図２を用いて、ＣＣＤセンサ１２についてより詳細に説明する。
【００２９】
図２に示す通り、ＣＣＤセンサ１２は、カラー画像を加法混色の３原色であるＲ（赤）、Ｇ（緑）およびＢ（青）に分解して検出するための３本のラインセンサ１２Ｒ，１２Ｇおよび１２Ｂ（以下、１２Ｃと記す）とモノクロ（無彩色）向けのラインセンサ１２Ｍとが並列に設けられた複合型（４ライン）ＣＣＤセンサである。
【００３０】
カラー画像用ＣＣＤセンサ（カラーセンサ）１２Ｃは、モノクロ画像用ＣＣＤセンサ（モノクロセンサ）１２Ｍと同等の（感度特性の）ラインセンサを３本有し、個々のセンサ１２Ｒ，１２Ｇおよび１２Ｂの入射面には、Ｒ，ＧおよびＢを出力させるための図示しないカラーフィルタが設けられている。なお、このカラーフィルタは、それぞれの色に応じた波長特性を有する光を、カラーセンサ１２Ｒ，１２Ｇおよび１２Ｂにそれぞれ提供するため、入射光の波長を部分的に吸収または透過する。このため、カラーフィルタを介してカラーセンサ１２Ｃに入射する光の光量は、カラーフィルタを用いないモノクロセンサ１２Ｍに比べて少なく、カラーセンサ１２Ｃの感度は、モノクロセンサ１２Ｍの感度の１／２〜１／４程度である。光量抑制機構２０は、カラーセンサ１２Ｃとモノクロセンサ１２Ｍの感度の違いに起因する、カラーセンサ１２Ｃに入力される光の光量と、モノクロセンサ１２Ｍに入力される光の光量との差を低減できる。
【００３１】
なお、上述した４ラインセンサ１２の特徴としては、カラー向けの３ラインＣＣＤに比較して、モノクロ画像を読み取った場合に高い鮮鋭度を確保でき、しかも同一の画像を複数回読み取った場合の安定性（再現性）が高いこと等が知られている。なお、モノクロ画像向けのセンサとカラー画像向けのセンサとを独立に設けたことにより、個々のセンサの読取性能は同等である。また、モノクロ向けセンサ１２Ｍとカラー向けセンサ１２Ｃとの出力は、例えばピンの設定により、僅かの時間で、かつ利用者による設定変更を必要とせずに切り換え可能である。
【００３２】
図３は、この光量抑制機構２０の一例を示す概略図である。
【００３３】
図３に示す通り、光量抑制機構２０は、原稿テーブル１１の第１の辺（奥行き）方向に沿って長く形成されたラインＣＣＤセンサの少なくとも第１の辺より長い長さを有し、ＣＣＤセンサ１２に照射される光が垂直に入射された場合、通過可能な大きさに形成される光量抑制フィルタ２１と、この光量抑制フィルタ２１を保持する枠形状のフィルタ保持部２２と、フィルタ保持部２２の両端を移動可能に支持する支持部２３とを有する。
【００３４】
光量抑制フィルタ２１は、所定の透過率を有する。この所定の透過率は、カラーセンサ１２Ｃに備えられるカラーフィルタの透過率に応じて、両センサに入力される光の光量との差を収束できる程度、すなわちカラーセンサ１２Ｃにおける露光量とモノクロセンサ１２Ｍにおける露光量を概ね等しくし、モノクロセンサ１２Ｍに適した露光量に抑制できる程度、であることが好ましい。
【００３５】
フィルタ保持部２２は、光量抑制フィルタ２１の縁領域を保持する枠状に形成され、入射する光は光量抑制フィルタ２１を透過できる。支持部２３は、画像読取装置内の所定の位置に固定される。
【００３６】
フィルタ保持部２２の一方の端には、例えばフィルタ保持部２２と一体的に設けられる回転軸２２１が設けられる。この回転軸２２１には、第２画像ミラー１７ｂからＣＣＤセンサ１２へ案内される画像光の光路を遮断しない位置Ｘにフィルタ保持部２２を位置させるためのねじりバネ２４が巻きつけられている。このねじりバネ２４の一方の端はフィルタ保持部２２に固定され、他の一方の端は支持部２３に固定される。フィルタ保持部２２は、このねじりバネ２４のバネ力により、位置Ｘに位置される。
【００３７】
また、フィルタ保持部２２の他方の端には、例えばフィルタ保持部２２と一体的に設けられる回転軸２２２と固定される電磁式回転アクチュエータ（ソレノイド）２５が、支持部２３を介して配置される。電磁式回転アクチュエータ２５には、周知のように、所定の電力が提供されることにより、回転軸２２２を回転させるための所定の磁界を発生させるコイルが搭載される。なお、この所定の電力が提供されている状態をＯＮ状態とし、所定の電力が提供されていない状態をＯＦＦ状態として以下説明する。
【００３８】
電磁式回転アクチュエータ２５は、所定の電力が提供されてＯＮ状態となると、回転軸２２２に所定の回転力を提供する。回転軸２２２に所定の回転力が提供されると、フィルタ保持部２２は、矢印（ｙ）方向に移動され、第２画像ミラー１７ｂからＣＣＤセンサ１２へ案内される画像光の光路上、すなわちＣＣＤセンサ１２に案内される画像光が光量抑制フィルタ２１を透過可能な位置Ｙ、に位置される。よって、モノクロ画像から反射されたモノクロ画像光は、光量抑制フィルタ２１を透過し、モノクロセンサ１２Ｍに案内される。
【００３９】
電磁式回転アクチュエータ２５がＯＦＦ状態もしくは画像読取装置に電力が供給されなくなると、フィルタ保持部２２は、ねじりバネ２４のバネ力により矢印（ｘ）方向に移動され、第２画像ミラー１７ｂからＣＣＤセンサ１２へ案内される画像光の光路から脱却される位置Ｘに位置される。よって、カラー画像から反射されたカラー画像光は、光量抑制フィルタ２１を通過せず、カラーセンサ１２Ｃに案内される。
【００４０】
また、本発明の画像読取装置に適用できる光量抑制機構２０は、上に説明した動作をするものに限られず、以下に説明する動作をするものであってもよい。
【００４１】
例えば、図３に示すような、光量抑制フィルタ２１と、フィルタ保持部２２と、支持部２３とを有する光量抑制機構２０において、電磁式回転アクチゥエータ２５に回転軸２２１および２２２を介して固定される光量抑制フィルタ２１の固定位置（初期位置）を位置Ｙをし、電磁式回転アクチュエータ２５の回転方向およびねじりバネ２４の巻き方向を逆にすることで、モノクロ画像光に対して常時光量抑制フィルタ２１を介在させた状態を維持できる。
【００４２】
この場合電磁式回転アクチュエータ２５に所定の電力が提供されてＯＮ状態となると、回転軸２２２に所定の回転力が提供され、フィルタ保持部２２は、矢印（ｘ）方向に移動される。従って、カラー画像光がＣＣＤセンサ１２に案内される際には、光量抑制フィルタ２１は、第２画像ミラー１７ｂからＣＣＤセンサ１２へ案内される画像光の光路から離脱される位置Ｘに位置される。
【００４３】
すなわち、カラー画像から反射されたカラー画像光は、光量抑制フィルタ２１を通過せず、カラーセンサ１２Ｃに案内され、モノクロ画像から反射されたモノクロ画像光は、光量抑制フィルタ２１を透過し、モノクロセンサ１２Ｍに案内される。
【００４４】
このように、カラーモードの場合に所定の電力が供給される光量抑制機構を用いることにより、モノクロモードを利用して頻度が多い読取装置においては、消費される電力の浪費を抑止できる。
【００４５】
次に、図４を用いて、上に説明した読取装置を動作させる制御系を説明する。
【００４６】
図４に示す通り、画像信号処理部３０には、原稿Ｐの画像を光電変化した画像データがＣＣＤセンサ１２に入力される。
【００４７】
画像信号処理部３０は、ＣＰＵ４０の指示により、ＣＣＤセンサ１２から出力された画像データ（画像信号）のうち後に詳細に説明する通りに選択された動作モードに応じて所定の画像信号を出力する切換回路３１と、この切換回路３１から出力された画像信号を所定レベルまで増幅する増幅器３２Ｍ，３２Ｒ，３２Ｇおよび３２Ｂと、それぞれの増幅器で増幅された画像信号を所定のスレショルドレベルでスレショルドしてデジタル信号に変換するＡ−Ｄ変換・スレショルド回路３３Ｍ，３３Ｒ，３３Ｇおよび３３Ｂと、スレショルドされたそれぞれの画像信号を予め決められた規則に従って画像処理する画像処理回路３４を有する。画像処理回路３４は、画像メモリ４１と接続され、画像処理回路により文字情報や画像情報として認識された画像データが格納される。
【００４８】
ＣＰＵ４０は、図３に説明した電磁式回転アクチュエータ２５を駆動させる駆動回路４２と接続される。駆動回路４２は、所定のタイミングで電磁式回転アクチュエータ２５に搭載されるコイルに所定の電力を供給する。
【００４９】
また、ＣＰＵ４０は、操作パネル４３と接続され、例えばユーザにより、カラー画像を読み取るカラーモード、あるいはモノクロ画像を読み取るモノクロモードのいずれか一方の動作モードが指定される。
【００５０】
モノクロモードが指定されると、ＣＰＵ４０は切替回路３１にモノクロ用の動作モードを指示し、ＣＣＤセンサ１２Ｍから出力されたモノクロ画像信号は、増幅器３２Ｍに出力される。増幅器３２Ｍに入力した画像データは、Ａ−Ｄ変換・スレショルド回路３３Ｍで所定のスレショルドレベルにスレショルドされ、画像処理回路３４で文字情報や画像情報として認識され、画像データとして画像メモリ４１に格納される。
【００５１】
また、カラーモードが指定されると、ＣＰＵ４０は、切替回路３１にカラー用の動作モードを指示し、ＣＣＤセンサ１２Ｒ，１２Ｇおよび１２Ｂから出力されたカラー画像信号は、それぞれ増幅器３２Ｒ，３２Ｇおよび３２Ｂに出力される。増幅器３２Ｒ，３２Ｇおよび３２Ｂに入力した画像データは、それぞれＡ−Ｄ変換・スレショルド回路３３Ｒ，３３Ｇおよび３３Ｂで所定のスレショルドレベルにスレショルドされ、画像処理回路３４で文字情報や画像情報として認識され、画像データとして画像メモリ４１に格納される。
【００５２】
以下、図５を用いて、それぞれの動作モードに応じたＣＰＵ４０の制御方法の一例を説明する。
【００５３】
図５に示す通り、原稿テーブル１１に原稿Ｐがセットされると、操作パネル４３を利用して、カラー画像を読み取るカラーモード、あるいはモノクロ画像を読み取るモノクロモードのいずれか一方の動作モードが指定される（Ｓ１）。ＣＰＵ４０は、指定された動作モードがモノクロモードであるかカラーモードであるかを判断し（Ｓ２）、モノクロモードが指定された場合（Ｓ２−ＹＥＳ）、駆動回路４２は、電磁式回転アクチュエータ２５に搭載されるコイルに所定の電力を供給する、すなわちＯＮ状態となる。
【００５４】
所定の電流が供給されると、コイルから所定の磁界が発生され、電磁式回転アクチュエータ２５は、フィルタ保持部２２の回転軸２２２を所定角度（例えば９０度）回転させる。光量抑制フィルタ２１は、第２画像ミラー１７ｂからＣＣＤセンサ１２へ案内される画像光が透過可能な位置Ｙに位置される。原稿テーブル１１にセットされる原稿Ｐの反射光であるモノクロ画像光は、所定の速度で移動される第１，２キャリッジに搭載される各ミラー１６ａ，１７ａおよび１７ｂで反射され、光量抑制フィルタ２１を透過する。
【００５５】
所定の透過率の光量抑制フィルタ２１を透過し、光量が抑制されたモノクロ画像光は、ＣＣＤセンサ１２に案内される。モノクロセンサ１２Ｍに適当な露光量で露光された画像光は、上に説明したように画像処理回路３４で文字情報や画像情報として認識され、画像メモリ４１に格納される。すなわち、原稿Ｐの画像が読み取られる（Ｓ４）。
【００５６】
一方、カラーモードが指定された場合（Ｓ２−ＮＯ）、駆動回路４２は、電磁式回転アクチュエータ２５に搭載されるコイルには電力が供給されない、すなわちＯＦＦ状態となる（Ｓ５）。
【００５７】
電磁式回転アクチュエータ２５は上に説明したように、ねじりバネ２４により、光量抑制フィルタ２１は、第２画像ミラー１７ｂからＣＣＤセンサ１２へ案内される画像光を遮断しない位置Ｘに位置される。原稿テーブル１１にセットされる原稿Ｐの反射光であるカラー画像光は、所定の速度で移動される第１，２キャリッジに搭載される各ミラー１６ａ，１７ａおよび１７ｂで反射され、光量抑制フィルタ２１を透過しないで、ＣＣＤセンサ１２に案内される。カラーセンサ１２Ｍに適当な露光量で露光された画像光は、上に説明したように画像処理回路３４で文字情報や画像情報として認識され、画像メモリ４１に格納される。すなわち、原稿Ｐの画像が読み取られる（Ｓ４）。
【００５８】
【発明の効果】
以上説明したように、本発明の画像読取装置においては、４ラインＣＣＤセンサの感度の違いに応じて、モノクロセンサに案内される画像光の光量を抑制することにより、各センサに最適な露光量の画像光を案内できる。よって、カラーフィルタによって光量が抑制されるカラー画像の画像光と、モノクロ画像の画像光を、同一の光源を利用して生成する場合であっても、画像形成された際、カラー画像の画質を損なうことなく、良好にモノクロ画像の画質が得られる。なお、カラーセンサおよびモノクロセンサの感度特性も損なわれる虞がない。
【図面の簡単な説明】
【図１】この発明の画像読取装置の一例を説明する概略図。
【図２】図１に示した画像読取装置に利用可能な４ラインＣＣＤセンサの一例を説明する概略図。
【図３】図１に示した画像読取装置に利用可能な光量抑制機構の一例を説明する概略図。
【図４】図１に示した画像読取装置の制御系を説明するブロック図
【図５】図１に示した画像読取装置の動作モードに応じた制御方法の一例を説明するフローチャート。
【符号の説明】
１２…ＣＣＤセンサ、２０…光量抑制機構、１２Ｃ…カラーセンサ、１２Ｍ…モノクロセンサ、２１…光量抑制フィルタ、２５…電磁式回転アクチュエータ。
【図１】
2005027091.tif 000003
【図２】
2005027091.tif 000004
【図３】
2005027091.tif 000005
【図４】
2005027091.tif 000006
【図５】
2005027091.tif 000007